(57)【特許請求の範囲】
【請求項１】
枠と、枠に室外側に開くように支持した扉とを備え、扉は、戸先部の室外側面に戸先側に突出する煙返しが形成してあると共に、煙返しの上端部にキャップが取付けてあり、キャップは、天板部と、天板部の室内側縁部に設けた立ち上がり片を有し、立ち上がり片は横枠の室外側見付面よりも室内側に位置しており、横枠は下面の室外側端部に垂下するヒレ片を有し、ヒレ片はキャップの立ち上がり片に当接していることを特徴とする建具。
【発明の詳細な説明】
【技術分野】
【０００１】
本発明は、室外側に開く扉を有する建具に関する。
【背景技術】
【０００２】
建物の出入口や窓に用いられる両開き戸においては、図７に示すように、一方の扉９０の戸先部の室外側面に扉間の隙間９１を隠すための煙返し９２が戸先側に突出して形成されており、煙返し９２の上端のエッジに手の指等が触れて怪我をするのを防ぐために、煙返し９２の上端部に樹脂製のキャップ９３を取付けている。
煙返し９２は、上枠の室外側見付面９４よりも室外側に突出しており、キャップ９３は単に煙返し９２を被っているだけなので、上方から見るとキャップ９３と上枠の室外側見付面９４との間に孔９５が開いた状態になっており、台風などの強い雨風のときにはその孔９５から雨水が扉間の隙間９１に浸入し、室内側に漏水することがあった。
片開きの扉においても同様に、戸先部の煙返しのキャップの室内側に上方から雨水が浸入することがあった。
【発明の概要】
【発明が解決しようとする課題】
【０００３】
本発明は以上に述べた実情に鑑み、扉間の隙間や扉の戸先部と竪枠間の隙間に上方から雨水が浸入するのを防止できる建具の提供を目的とする。
【課題を解決するための手段】
【０００４】
上記の課題を達成するために請求項１記載の発明による建具は、枠と、枠に室外側に開くように支持した扉とを備え、扉は、戸先部の室外側面に戸先側に突出する煙返しが形成してあると共に、煙返しの上端部にキャップが取付けてあり、キャップは、天板部と、天板部の室内側縁部に設けた立ち上がり片を有し、立ち上がり片は横枠の室外側見付面よりも室内側に位置しており、横枠は下面の室外側端部に垂下するヒレ片を有し、ヒレ片はキャップの立ち上がり片に当接していることを特徴とする。
【発明の効果】
【０００５】
請求項１記載の発明による建具は、扉の戸先部の室外側面に戸先側に突出する煙返しが形成してあると共に、煙返しの上端部にキャップが取付けてあり、キャップは天板部と、天板部の室内側縁部に設けた立ち上がり片を有し、立ち上がり片が横枠の室外側見付面よりも室内側に位置しており、横枠は下面の室外側端部に垂下するヒレ片を有し、ヒレ片はキャップの立ち上がり片に当接しているので、扉間の隙間や扉の戸先部と竪枠間の隙間に上方から雨水が浸入するのを防止できる。
【図面の簡単な説明】
【０００６】
【図１】図３に示す建具の扉同士の突合せ部の平面図である。
【図２】図３に示す建具の縦断面図である。
【図３】本発明の建具の一実施形態を示す室外側正面図である。
【図４】戸先框とキャップの分解斜視図である。
【図５】（ａ）はキャップの平面図、（ｂ）はキャップの室内側面図、（ｃ）はキャップの底面図、（ｄ）はキャップの側面図である。
【図６】扉が一枚の場合の戸先框と竪枠との取り合いを示す平面図である。
【図７】従来の建具の扉同士の突合せ部の平面図である。
【発明を実施するための形態】
【０００７】
以下、本発明の実施の形態を図面に基づいて説明する。図１〜３は、本発明の建具の一実施形態であって、ビル用の両開きの外開き窓に適用した実施形態を示している。本建具は、図２，３に示すように、躯体開口部に取付けられる枠１と、枠１に蝶番（図示省略）で支持した左右の扉２ａ，２ｂを備え、左右の扉２ａ，２ｂが室外側に観音開き状に開くようになっている。
【０００８】
枠１は、アルミニウム合金の押出形材よりなる上枠８と下枠１０と左右の竪枠１１，１１とを四方枠組みして構成してある。上枠８は、図２に示すように、下面の室外側端部にタイト材ホルダー１２を形成し、タイト材ホルダー１２にゴム製のタイト材９が保持してあり、タイト材９は垂下するヒレ片９ａ，９ｂを室外側と室内側に有し、室内側のヒレ片９ｂが各扉２ａ，２ｂの上縁に当接している。さらに上枠８と下枠１０と竪枠１１は、扉２ａ，２ｂの室内側面に当接するタイト材３２を有している。
【０００９】
各扉２ａ，２ｂは、図２，３に示すように、アルミニウム合金の押出形材で形成した上框１３ａ，１３ｂと下框１４ａ，１４ｂと戸先框３ａ，３ｂと吊元框１５ａ，１５ｂとを四周框組みし、各框の内周側に形成された溝１５内にガラスパネル１６の周縁部を嵌め込み、シール材１７で固定してある。
室外側から見て右側の扉２ａの戸先框３ａは、図１に示すように、室外側面に扉間の隙間１８を隠す煙返し４が設けてある。煙返し４は、室外側に突出する見込み面部４ａと、見込み面部４ａの先端より戸先側に向けて突出する見付面部４ｂとを有し、見付面部４ｂは上枠８の室外側見付面８ａよりも室外側に位置している。
室外側から見て左側の扉２ｂの戸先框３ｂは、室内側面に煙返し１９が右側の扉２ａの戸先框３ａの煙返し４と対称に形成してある。さらに室外側から見て左側の扉２ｂの戸先框３ｂは、室外側面の戸先側端部と見込み面の室内側端部とにタイト材ホルダー２０ａ，２０ｂが形成してあり、各タイト材ホルダー２０ａ，２０ｂにタイト材２１ａ，２１ｂが保持してある。室外側のタイト材２１ａは、室外側から見て右側の扉２ａの戸先框３ａの煙返し４の裏面に当接し、室内側のタイト材２１ｂは室外側から見て右側の扉２ａの戸先の室内側端部に当接し、両タイト材２１ａ，２１ｂにより扉２ａ，２ｂ間からの雨や風の浸入を阻止している。
【００１０】
室外側から見て右側の扉２ａの戸先框３ａの煙返し４の上端部には、図１，２に示すように、樹脂製のキャップ５が取付けてある。このキャップ５は、図４，５に示すように、煙返し４の上端部を覆うカバー部２２と、カバー部２２より室内側に延出する天板部６と、天板部６の室内側縁に沿って立ち上げた立ち上がり片７を有している。カバー部２２は、煙返し４が差し込まれる溝２３内にクサビ状の突起２４が複数形成してあると共に、煙返し４に形成した孔２５に係止する突起２６を有し、煙返し４に上方から差し込むと容易に抜けないようになっている。カバー部２２の室内側壁には、突起２６と対向する位置に窓３１が形成してあり、窓３１からドライバー等の工具を差し込んで突起２６を押すことで突起２６が煙返し４の孔２５から外れ、キャップ５を取り外すことができる。
天板部６は、戸先側に室外側に向けて凹んだ入隅部２７が設けてあり、立ち上がり片７は入隅部２７に沿ってクランク状に曲がった形で形成され、立ち上がり片７の入隅部２７よりも吊元側の部分７ａは、図１，２に示すように、上枠８の室外側見付面８ａよりも室内側に位置し、この部分に上枠８のタイト材９の室外側のヒレ片９ａが当接している。ヒレ片９ａは、キャップ５の天板部６にも当接している。
なお、室外側から見て左側の扉２ｂの戸先框３ｂの煙返し１９の上端部にも樹脂製のキャップ２８が取付けてあるが、このキャップ２８は煙返し１９の上端部をカバーするだけで、天板部６や立ち上がり片７を有しないものである。
また、図１，４には図示していないが、戸先框３ａ，３ｂの上端部には前記キャップ５，２８とは別体の小口キャップが取付けてあり、戸先框３ａ，３ｂの中空部２９を小口キャップにより塞いである。
【００１１】
以上に述べたように本建具は、扉２ａ，２ｂ間の隙間１８を室外側から隠す戸先框３ａの煙返し４の上端部のキャップ５に天板部６と立ち上がり片７を設け、立ち上がり片７を上枠８の室外側見付面８ａよりも室内側に位置させ、且つ上枠８のタイト材９のヒレ片９ａが立ち上がり片７に当接するようにしたことで、上枠８と煙返し４の間に隙間が開かず、そのため台風のように強い雨風のときでも、扉間の隙間１８への上方からの雨水の浸入を阻止することができる。これにより建具の止水性能を向上することができ、１０００Ｐａの止水性能を得ることが可能となる。
【００１２】
図６は、本発明の建具の他の実施形態であって、枠１内に扉２を一枚だけ設けた片開きの外開き窓の場合を示している。戸先框３には、先に述べた実施形態と同様に、室外側面に戸先側に向けて突出する煙返し４を有し、この煙返し４により扉２の戸先と竪枠１１間の隙間３０を室外側から隠してあり、煙返し４の上端部に先の実施形態のものと同じキャップ５が取付けてあり、キャップ５の天板部６と立ち上がり片７により、扉２の戸先部と竪枠１１間の隙間３０に上方から雨水が浸入するのを阻止している。キャップ５の戸先側に入隅部２７を設けたことで、扉２を閉めたときにキャップ５が竪枠１１と干渉せず、両開きの場合と片開きの場合でキャップ５を兼用できる。
【００１３】
本発明は以上に述べた実施形態に限定されない。扉は、室外側に開くように枠に支持してあればよく、扉の構造や支持構造は問わない。横枠は、無目であってもよい。本発明は、窓に限らず、玄関や勝手口等のドアに適用することもできる。
【符号の説明】
【００１４】
１  枠
２，２ａ，２ｂ  扉
３，３ａ，３ｂ  戸先框（戸先部）
４  煙返し
５  キャップ
６  天板部
７  立ち上がり片
８  上枠（横枠）
８ａ  上枠の室外側見付面
９  タイト材
９ａ，９ｂ  ヒレ片
【図１】
0005654423.tif 000002
【図２】
0005654423.tif 000003
【図３】
0005654423.tif 000004
【図４】
0005654423.tif 000005
【図５】
0005654423.tif 000006
【図６】
0005654423.tif 000007
【図７】
0005654423.tif 000008